【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
レーダーシステムであって、
レンジ値の圧縮されたブロックを生成するために、レンジ値のブロックを圧縮するように構成される圧縮構成要素と、
前記圧縮構成要素によって生成されるレンジ値の圧縮されたブロックをストアするように構成されるレーダーデータメモリと、
を含む、レーダーシステム。
【請求項２】
請求項１に記載のレーダーシステムであって、
前記圧縮構成要素が、ブロック浮動小数点（ＢＦＰ）圧縮を用いてレンジ値のブロックを圧縮するように構成される、レーダーシステム。
【請求項３】
請求項１に記載のレーダーシステムであって、
前記圧縮構成要素が、次数ｋ指数ゴロム（ｏｒｄｅｒ  ｋ  ｅｘｐｏｎｅｎｔｉａｌ  Ｇｏｌｏｍｂ）（ＥＧ）圧縮を用いてレンジ値のブロックを圧縮するように構成される、レーダーシステム。
【請求項４】
請求項３に記載のレーダーシステムであって、
前記圧縮構成要素が、レンジ値のブロックを圧縮するための最適ゴロムパラメータ値を複数の指定された候補ゴロムパラメータ値から選択するように更に構成される、レーダーシステム。
【請求項５】
請求項３に記載のレーダーシステムであって、
前記圧縮構成要素が、レンジ値のブロックに対するスケール係数を決定し、前記レンジ値のブロックにおける各レンジ値を切り捨てるために前記スケール係数を用いるように構成され、前記スケール係数が、指定されるサイズ以下のサイズの対応するレンジ値の圧縮されたブロックを生成するために、各レンジ値からドロップされるべきビットの最小数として決定される、レーダーシステム。
【請求項６】
請求項３に記載のレーダーシステムであって、
前記圧縮構成要素が、各レンジ値における先頭の連続ゼロビットの数と前記先頭の連続ゼロビットに続く連続１ビットの数とに基づいて前記レンジ値のブロックのエンコードされたサイズを推定するように更に構成される、レーダーシステム。
【請求項７】
請求項１に記載のレーダーシステムであって、
前記圧縮構成要素が、少なくとも２タイプの圧縮を提供するように更に構成される、レーダーシステム。
【請求項８】
請求項７に記載のレーダーシステムであって、
前記圧縮構成要素が、圧縮の各タイプの量子化誤差に基づいて、前記少なくとも２タイプの圧縮から、レンジ値のブロックに対する圧縮のタイプを選択するように更に構成される、レーダーシステム。
【請求項９】
請求項７に記載のレーダーシステムであって、
前記少なくとも２タイプの圧縮が、ブロック浮動小数点（ＢＦＰ）圧縮と次数ｋ指数ゴロム（ＥＧ）圧縮とを含む、レーダーシステム。
【請求項１０】
請求項１に記載のレーダーシステムであって、
前記圧縮構成要素が、前記レンジ値の量子化の前に、レンジ値にディザーを付加するように更に構成される、レーダーシステム。
【請求項１１】
請求項１に記載のレーダーシステムであって、
前記圧縮構成要素が、各圧縮されたブロックのサイズが指定されたサイズ以下であるように、レンジ値の圧縮されたブロックを生成するように更に構成される、レーダーシステム。
【請求項１２】
請求項１に記載のレーダーシステムであって、
前記圧縮構成要素が、ビットパッキング（ＰＡＣ）圧縮と可変ビット幅ブロック浮動小数点（ＶＢＢＦＰ）圧縮とで構成されるグループから選択される１つを用いて、レンジ値のブロックを圧縮するように構成される、レーダーシステム。
【請求項１３】
請求項１に記載のレーダーシステムであって、
複数の受信チャネルであって、各受信チャネルが、デジタル化された中間周波数（ＩＦ）信号を生成するように構成される、前記複数の受信チャネルと、
前記デジタル化されたＩＦ信号を受信するため前記複数の受信チャネルに結合されるプロセッサであって、各受信チャネルに対するレンジ値を生成するために前記ＩＦ信号を処理するように構成される、前記プロセッサと、
を更に含む、レーダーシステム。
【請求項１４】
レーダーシステムにおけるレーダー信号の圧縮のための方法であって、
デジタル化された中間周波数（ＩＦ）信号の処理から生成されるレンジ値のブロックを受け取ることと、
レンジ値の圧縮されたブロックを生成するためにレンジ値の各ブロックを圧縮することであって、前記レーダーシステムの圧縮構成要素によって実施される、前記圧縮することと、
前記レンジ値の圧縮されたブロックをレーダーデータメモリにストアすることと、
を含む、方法。
【請求項１５】
請求項１４に記載の方法であって、
前記各ブロックを圧縮することが、前記ブロックを圧縮するためにブロック浮動小数点（ＢＦＰ）圧縮を用いることを含む、方法。
【請求項１６】
請求項１４に記載の方法であって、
前記各ブロックを圧縮することが、前記ブロックを圧縮するために次数ｋ指数ゴロム（ＥＧ）圧縮を用いる、方法。
【請求項１７】
請求項１６に記載の方法であって、
前記各ブロックを圧縮することが、前記レンジ値のブロックを圧縮するために複数の指定された候補ゴロムパラメータ値から最適ゴロムパラメータ値を選択することを更に含む、方法。
【請求項１８】
請求項１６に記載の方法であって、
前記各ブロックを圧縮することが、
前記レンジ値のブロックに対するスケール係数を決定することと、前記レンジ値のブロックにおける各レンジ値を切り捨てるために前記スケール係数を用いることとを更に含み、前記スケール係数が、指定されるサイズ以下のサイズの対応するレンジ値の圧縮されたブロックを生成するために、各レンジ値からドロップされるべきビットの最小数として決定される、方法。
【請求項１９】
請求項１６に記載の方法であって、
前記各ブロックを圧縮することが、各レンジ値における先頭の連続ゼロビットの数と前記先頭の連続ゼロビットに続く連続１ビットの数とに基づいて、前記レンジ値のブロックのエンコードされたサイズを推定することを更に含む、方法。
【請求項２０】
請求項１４に記載の方法であって、
前記各ブロックを圧縮することが、少なくとも２タイプの圧縮を提供することと、前記ブロックを圧縮するために前記少なくとも２タイプの圧縮の１つを用いることとを含む、方法。
【請求項２１】
請求項２０に記載の方法であって、
前記各ブロックを圧縮することが、圧縮の各タイプの量子化誤差に基づいて、前記ブロックに対する前記圧縮のタイプを前記少なくとも２タイプの圧縮から選択することを更に含む、方法。
【請求項２２】
請求項２０に記載の方法であって、
前記少なくとも２タイプの圧縮が、ブロック浮動小数点（ＢＦＰ）圧縮と次数ｋ指数ゴロム（ＥＧ）圧縮とを含む、方法。
【請求項２３】
請求項１４に記載の方法であって、
前記各ブロックを圧縮することが、前記レンジ値の量子化の前に前記ブロックにおける各レンジ値にディザーを付加することを含む、方法。
【請求項２４】
請求項１４に記載の方法であって、
前記各ブロックを圧縮することが、前記圧縮されたブロックのサイズが指定されたサイズ以下になるように、前記レンジ値の圧縮されたブロックを生成することを含む、方法。
【請求項２５】
請求項１４に記載の方法であって、
前記各ブロックを圧縮することが、前記ブロックを圧縮するためにビットパッキング（ＰＡＣ）圧縮と可変ビット幅ブロック浮動小数点（ＶＢＢＦＰ）圧縮とで構成されるグループから選択される１つを用いることを含む、方法。